(57)【要約】【課題】屋根の先端部からの雨水を受けるとともに、軒樋支持具の上面に直接降りかかって跳ね返り、飛散する雨水が軒裏に回り、建物を傷めることのないようにされた軒樋支持具を提供する。【解決手段】被取付け面Ｗに取着される固定部材Ａと軒樋９を吊り下げ支持する吊り部材Ｂとからなり、上記固定部材Ａは取着板１と支持桿２とから一体形成され、上記吊り部材Ｂはスライド板３とこのスライド板３の両端に設けられるとともに、軒樋の前耳と後耳とをおのおの支持する耳支持部とからなり、上記固定部材Ａの支持桿２と吊り部材Ｂのスライド板３とは着脱自在、スライド自在に結合され、上記支持桿２の両側部には上方に突出する補強板５が設けられてなる軒樋支持具。【選択図】図１
2009299405.tif 000002
【特許請求の範囲】
【請求項１】
被取付け面に取着される固定部材と軒樋を吊り下げ支持する吊り部材とからなり、上記固定部材は取着板と支持桿とから一体的に形成され、上記吊り部材はスライド板とこのスライド板の両端に設けられるとともに、軒樋の前耳と後耳とをおのおの支持する耳支持部とからなり、上記固定部材の支持桿と吊り部材のスライド板とは、着脱自在、かつスライド自在に結合され、上記支持桿の両側部には上方に突出する補強板が設けられてなる軒樋支持具。
【請求項２】
上記支持桿を断面略Ｈ字形に形成するとともに、下方に開口する開口部に上記吊り部材が着脱自在、かつスライド自在に装着され、上記支持桿の両側部には垂直に突出する補強板が設けられてなる請求項１に記載の軒樋支持具。
【請求項３】
上記支持桿を断面略Ｍ字形に形成するとともに、下方に開口する開口部に上記吊り部材が着脱自在、かつスライド自在に装着され、上記支持桿の両側部を斜め上方に延出した傾斜延出部と、傾斜延出後折曲して垂下させてなる垂下部とから構成し、上記傾斜延出部が補強板とされた請求項１に記載の軒樋支持具。
【請求項４】
上記固定部材と吊り部材とがそれぞれ弾性を有する合成樹脂から一体的に形成されてなる請求項１に記載の軒樋支持具。
【発明の詳細な説明】
【技術分野】
【０００１】
本願発明は、軒樋を吊り下げ支持する軒樋支持具に関するものであり、屋根先端部から落下する雨水を受けるように軒樋を吊り下げ、かつ軒樋支持具に直接当たった雨水が建物側に飛散することのないようにされた軒樋支持具に関するものである。
【背景技術】
【０００２】
建物の柱や壁、鼻隠し板などの被取付け面に各種雨樋、例えば軒樋を取り付ける際に使用する軒樋支持具としては、例えば本願図４に示す吊り下げ式の軒樋支持具が知られている。すなわち、上記公知の軒樋支持具Ｃは、被取付け面に取着される取付部１ａと軒樋を支持する支持部２ａとアーム部３ａとが連結されて一体的に形成されてなり、支持部２ａの両端には前耳支持部２１ａと後耳支持部２２ａが設けられている。上記軒樋支持具Ｃは軒先の鼻隠し板などの被取付け面に固定され、この軒樋支持具Ｃに軒樋が吊り下げ支持される。
【０００３】
上記被取付け面としては、例えば、木製の鼻隠し板あるいは、木製の鼻隠し板を防火対策や美観の面で、鋼板の表面を塩化ビニル樹脂材料によって被覆した化粧鋼板、いわゆる塩ビ鋼板で覆われたものを使用することが多い。
【０００４】
ところで、屋根からの雨水は軒先に取り付けられた軒樋に流れ、集水ます等を経て竪樋等の排水経路を経て排出される。通常、屋根の先端の真下に軒樋が取り付けられるため、大部分の雨水は上記のルートを経て排水されるが、雨水の一部は図４に示す軒樋支持具Ｃのアーム部３ａに当たって跳ね返り、あるいはアーム部３ａの側縁を伝って走り、鼻隠し板を濡らしたり、軒裏に回り、建物側に浸入し、建物を傷めるおそれがある。また、雫となって滴下し、この雫が、軒裏地面から跳ね返って住宅の基礎を汚すという問題もある。
【０００５】
一方、特開平０５−２２２８１２号公報には、その図１、図２に示されているように、吊り具と取付具とからなる軒樋支持具が開示されている。上記吊り具は軒樋の前耳と後耳とを保持する耳保持部とスライド部とからなるともに、取付具は取付部と接続部とからなり、そして、上記取付具の丸孔と吊り具の長孔とに通されたボルトとナットとで両者がスライドできるように取り付けられている。
【０００６】
また、その効果として、スライド部に目盛りが設けられているため、地上でこの目盛りを見ながら、吊り具と取付具とをスライドさせて所定の位置に固定した後、この軒樋支持具を軒先に取り付けることにより、吊り具を所定位置に簡単に取り付けることができると記載されている。
【特許文献１】特開平０５−２２２８１２号公報
【発明の開示】
【発明が解決しようとする課題】
【０００７】
上記特許文献１には、その図１、図２に記載の軒樋支持具を用いたとき、軒先という高所で吊り具を所定位置に安全に、かつ簡単に取り付けられると述べられているが、取付具の上面に当たって跳ね返る雨水や、取付具の側縁を伝って走り、鼻隠し板を濡らしたり、軒裏に回る雨水に対する対策についての記載はみられない。
【０００８】
本願発明は上記背景技術に鑑みてなされたものであり、その目的は、屋根の先端部の真下に軒樋を配設して雨水を受けることができるとともに、軒樋支持具の上面に直接降りかかって跳ね返り、飛散する雨水や、軒樋支持具の側面を伝わった雨水が軒裏に回り、建物を傷めたりすることのないようにされた軒樋支持具を提供することにある。
【課題を解決するための手段】
【０００９】
上記課題を解決するために、本願請求項１記載の発明に係る軒樋支持具は、取付け面に取着される固定部材と軒樋を吊り下げ支持する吊り部材とからなり、上記固定部材は取着板と支持桿とから一体的に形成され、上記吊り部材はスライド板とこのスライド板の両端に設けられるとともに、軒樋の前耳と後耳とをおのおの支持する耳支持部とからなり、上記固定部材の支持桿と吊り部材のスライド板とは、着脱自在、かつスライド自在に結合され、上記支持桿の両側部には上方に突出する補強板が設けられてなることを特徴としている。
【００１０】
本願請求項２記載の発明は、上記請求項１記載の軒樋支持具において、上記支持桿を断面略Ｈ字形に形成するとともに、下方に開口する開口部に上記吊り部材が着脱自在、かつスライド自在に装着され、上記支持桿の両側部には垂直に突出する補強板が設けられてなることを特徴としている。
【００１１】
本願請求項３記載の発明は、上記請求項１記載の軒樋支持具において、上記支持桿を断面略Ｍ字形に形成するとともに、下方に開口する開口部に上記吊り部材が着脱自在、かつスライド自在に装着され、上記支持桿の両側部を斜め上方に延出した傾斜延出部と、傾斜延出後折曲して垂下させてなる垂下部とから構成し、上記傾斜延出部が補強板とされてなることを特徴としている。
【００１２】
本願請求項４記載の発明は、上記請求項１記載の軒樋支持具において、上記固定部材と吊り部材とがそれぞれ弾性を有する合成樹脂から一体的に形成されてなることを特徴としている。例えば、ＰＣ（ポリカーボネート）樹脂、硬質塩化ビニル樹脂、ＡＢＳ樹脂、ポリエステル樹脂、あるいはポリフェニレンサルファイド樹脂、ポリエーテルケトン樹脂、ポリエーテルエーテルケトン樹脂、ポリスルフォン樹脂などのエンジニアリング樹脂を使用することができる。コスト、品質および成形品表面における水の流れ易さ等の面から、ＰＣ（ポリカーボネート樹脂）が好ましく用いられる。
【発明の効果】
【００１３】
本願請求項１記載の発明に係る軒樋支持具においては、取着板と支持桿とから一体的に形成された固定部材と、スライド板とこのスライド板の両端に設けられ、軒樋の前耳と後耳とをおのおの支持する耳支持部とからなる吊り部材とから構成され、かつ上記固定部材の支持桿と吊り部材のスライド板とは、着脱自在、スライド自在に結合されているため、スライド板を移動して最適な位置で軒樋を吊り下げ支持し、屋根先から落下する雨水を受けることができる。また、上記支持桿の両側部には上方に突出する補強板が設けられているため、固定部材をしっかりと補強することができる。
【００１４】
本願請求項２記載の発明に係る軒樋支持具においては、特に、上記支持桿を断面略Ｈ字形に形成して、下方に開口する開口部に上記吊り部材が着脱自在、スライド自在に装着され、上記支持桿の両側部には垂直に突出する補強板が設けられているため、支持桿のベース部から雨水が側面に流下することを防ぐ堰部として機能し、また、直接ベース部に降りかかって跳ね返り、飛散した雨水が軒樋支持具の側面を伝わって軒裏に回ることを防ぐ。そして、鼻隠し板等の躯体が損傷することを防止する。
【００１５】
本願請求項３記載の発明に係る軒樋支持具においては、特に、上記支持桿を断面略Ｍ字形に形成して、下方に開口する開口部に上記吊り部材を着脱自在、かつスライド自在に装着し、上記支持桿の両側部を斜め上方に延出した傾斜延出部と傾斜延出後折曲して垂下させてなる垂下部とから構成し、上記傾斜延出部が補強板とされているため、斜設された補強板が雨水を中央に集水するとともに、側面に流下することを防ぐ堰部として機能し、かつ直接ベース部に降りかかって跳ね返り、飛散した雨水が軒樋支持具の側面を伝わって軒裏に回ることを防ぐ。そして、鼻隠し板等の躯体が損傷することを防止する。
【００１６】
本願請求項４記載の発明に係る軒樋支持具においては、特に、上記固定部材と吊り部材とがそれぞれ弾性を有する合成樹脂から一体的に形成されてなるため、ひとつの固定部材を共通化して用いることが可能となり、各種の吊り部材に対応することができる。また、ひとつの吊り部材を共通化して用いることが可能となり、各種の吊り部材に対応することができる。
【発明を実施するための最良の形態】
【００１７】
図１は、本願発明にかかる軒樋支持具の実施形態を示す分解斜視図である。図１に示すように、上記軒樋支持具は、被取付け面に取着される固定部材Ａと軒樋を吊り下げ支持する吊り部材Ｂとから構成される。上記固定部材Ａは取着板１と支持桿２とから一体的に形成され、上記吊り部材Ｂはスライド板３とこのスライド板３の両端に設けられ、軒樋の前耳を支持する前耳支持部４１と後耳を支持する後耳支持部４２とからなる。
【００１８】
上記固定部材Ａの取着板１には複数の固定用ビス孔６が設けられ、この固定用ビス孔６を挿通するビスは被取付け面に螺着し、取着板１を軒先の鼻隠し板等の被取付け面に固着する。支持桿２は上記取着板１に一体的に固着されるとともに、断面略Ｈ字形に形成され、下方に開口する開口部に上記吊り部材Ｂが着脱自在、かつスライド自在に装着される。また、上記支持桿２の両側部には垂直に突出する補強板５が設けられている。
【００１９】
上記支持桿２のベース部２２の屋外側にはビス孔２１が穿たれ、吊り部材Ｂを着脱自在、かつスライド自在に結合するためのビスが上記ビス孔２１を挿通する。上記吊部材Ｂは、そのスライド板３の長さ方向の略中央部に長孔３１が設けられ、上記ビス孔２１を挿通するビスは長孔３１も挿通し、固定部材Ａと吊部材Ｂとは着脱自在、かつスライド自在にビス固定される。
【００２０】
図２は、固定部材Ａと吊り部材Ｂとからなる本願発明に係る軒樋支持具に軒樋９を吊り下げ支持した状態を示す部分断面側面図である。図２に示すように、固定部材Ａと吊り部材Ｂとは支持桿２のベース部２２に設けられたビス孔２１とスライド板３の長さ方向に設けられた長孔３１を挿通する長ビスと蝶ナットとからなる結合手段７により着脱自在、かつスライド自在に結合される。
【００２１】
すなわち、鼻隠し板等の被取付け面Ｗに固定用ビスＦによりビス固定された固定部材Ａと吊り部材Ｂとは、図外屋根先からの雨水が軒樋９の外へ落ちることのないように、スライド板３を長孔３１に沿い移動させて最適な位置を決め、その位置で上記長ビスと蝶ナットとからなる結合手段７によって結合される。このようにすることにより、屋根先の真下に軒樋９が配設され、雨水が軒樋９の外へ落下するのを極力防止している。
【００２２】
一方、軒樋９に直接降りかかる雨水のうち大部分は軒樋９内を流れて排水されるが、一部は軒樋支持具の支持桿２のベース部２２に当たって跳ね返り、あるいは、支持桿２の側縁を伝わって軒裏に回り、鼻隠し板等軒先の一部を濡らして傷めるおそれがある。そこで、本願発明においては、このような問題を解決するため、上記支持桿２の両側部に垂直に立設された補強板５に、上記ベース部２２に降りかかった雨水が側面に流下することを防ぐための堰部としての機能も付与している。また、直接ベース部２２に降りかかって跳ね返り、飛散することを防ぐ飛散防止部としての機能も付与している。
【００２３】
このようにすることにより、飛散した雨水が軒樋支持具の側面を伝わって軒裏に回り、鼻隠し板等躯体の一部が損傷することを防ぎ、雨水が軒裏に回って建物側に浸入することを防止できる。さらに、軒樋支持具から雨水が雫となって滴下してこの雫が軒裏地面に落ち、跳ね返って建物の基礎を汚すという問題も解消することができる。
【００２４】
図３は本願発明にかかる軒樋支持具の実施形態の変形例を示す分解斜視図である。図３に示すように、本変形例においては、取着板１に一体的に固着される支持桿８を断面略Ｍ字形に形成するとともに、下方に開口する開口部に上記吊り部材Ｂが着脱自在、かつスライド自在に装着される。また、上記支持桿８の両側部を斜め上方に延出した傾斜延出部と、傾斜延出後折曲して垂下させてなる垂下部８２とから構成し、上記傾斜延出部が補強板８１とされている。
【００２５】
上記傾斜延出部と傾斜延出部との間はベース部８３とされ、このベース部８３の屋外側にはビス孔８４が穿たれ、このビス孔８４を挿通する長ビス（図示せず）と蝶ナット（図示せず）とによって吊り部材Ｂが着脱自在、かつスライド自在に結合される。
【００２６】
このようにすることによって、上記補強板８１が固定部材Ａを補強し、斜設された補強板８１が雨水をベース部８３の中央に集水するとともに、側面に流下することを防ぐ堰部として機能する。また、支持桿８に直接降りかかった雨水が跳ね返り、飛散した場合でも、該飛散した雨水が支持桿８の側面を伝わって軒裏に回り、鼻隠し板等躯体の一部が損傷することを、補強板８１が防ぎ、雨水が軒裏に回って建物側に浸入することを防止できる。さらに、軒樋支持具から雨水が雫となって滴下してこの雫が軒裏地面に落ち、跳ね返って建物の基礎を汚すという問題も解消することができる。
【図面の簡単な説明】
【００２７】
【図１】本願発明にかかる軒樋支持具の実施形態を示す分解斜視図。
【図２】本願発明に係る軒樋支持具によって軒樋を吊り下げ支持した状態を示す部分断面側面図。
【図３】本願発明にかかる軒樋支持具の実施形態の変形例を示す分解斜視図。
【図４】公知の軒樋支持具を示す斜視図。
【符号の説明】
【００２８】
Ａ      本願発明にかかる固定部材
Ｂ      本願発明にかかる吊り部材
Ｃ      公知の軒樋支持具
Ｆ      固定用ビス
Ｗ      被取付け面
１      取着板
２      支持桿
２１    ビス孔
２２    ベース部
３      スライド板
３１    長孔
４１    前耳支持部
４２    後耳支持部
５      補強板
６      固定用ビス孔
７      結合手段
８      軒樋支持具の実施形態の変形例における支持桿
８１    補強板
８２    垂下部
８３    ベース部
８４    ビス孔
９      軒樋
１ａ    公知の軒樋支持具における取付部
２ａ    公知の軒樋支持具における支持部
２１ａ  上記支持部における前耳支持部
２２ａ  上記支持部における後耳支持部
３ａ    公知の軒樋支持具におけるアーム部
【図１】
2009299405.tif 000003
【図２】
2009299405.tif 000004
【図３】
2009299405.tif 000005
【図４】
2009299405.tif 000006